(57)【要約】【課題】従来技術では、お金の受取人が金融機関に口座を持っていない場合は振込処理が出来ず、住所確認が不可の場合は現金書留でも送金依頼ができなかった。【解決手段】仮口座の開設と、カメラにてお金の受取人の顔を撮影することにより、お金の受取人は仮口座への振込依頼をすることが可能となり、振込人はカメラにて撮影した顔の画像により本人確認が可能となることにより、金融機関に口座を持たないお金の受取人に対しても送金が可能となった。【選択図】図１
2010267172.tif 000002
【特許請求の範囲】
【請求項１】
仮口座の開設により、口座を持たない人への振込処理を可能とした現金自動取引装置を利用した振込処理方式。
【請求項２】
請求項１に加え、お金の受取人の顔を撮影し、その撮影つした画像をお金の受取人の本人確認に利用した振込方式。
【発明の詳細な説明】
【技術分野】
【０００１】
本発明は、ＡＴＭによる送金方法に関するものである。
【背景技術】
【０００２】
従来、送金を依頼するには、お金の受取人は振込み依頼用紙を振込み人に送り、これを受領した振込み人が金融機関の窓口又は現金自動取引装置（ＡＴＭ）にて振込を実施していた。
【０００３】
上記の従来の振込業務を簡易化するための従来例として特開平5-266055号公報記載の技術がある。
【先行技術文献】
【特許文献】
【０００４】
【特許文献１】特開平5-266055号公報
【発明の概要】
【発明が解決しようとする課題】
【０００５】
上述した従来技術では、お金の受取人が金融機関に口座を持っていない場合は、先ずお金の受取人が金融機関に口座を開設する必要があるが、海外への出張中／旅行中等の場合のように利用可能な金融機関に口座開設が困難な場合には振込による送金を依頼することが出来なかった。
【０００６】
又、振込以外の送金方法として現金書留があるが、海外への出張中／旅行中等の場合のように住所が不定の場合は使用できない。
【０００７】
本発明は、上述した課題を解決し、金融機関に口座を持っていないお金の受取人が金融機関に口座を開設することが困難な場合であっても、現金自動取引装置（ＡＴＭ）による振込依頼を可能とする方法を提供することを目的とする。
【課題を解決するための手段】
【０００８】
上記課題を解決するために、先ずお金の受取人は現金自動取引装置（ＡＴＭ）にて送金を受けるための仮口座を設け、出金予定日、暗証番号、要求金額を入力し、振込み人に対し仮口座への振込を電話等にて依頼し、振込み人が出金予定日までに現金自動取引装置（ＡＴＭ）にて振込処理をすることにより送金を可能とする。
【０００９】
しかし、通常の金融機関に開設された口座の場合は、金融機関の窓口にて口座開設者の本人確認を実施しているが、本仮口座の場合金融機関の窓口での本人確認を実施しないため犯罪に利用される可能性が出てくる。そこで、お金の受取人がＡＴＭにて仮口座開設する時にＡＴＭはお金の受取人の顔写真を撮影し、振込依頼を受けた振込人が現金自動取引装置（ＡＴＭ）にて仮口座への振込処理を実施するときに、振込依頼を受けた振込人に撮影したお金の受取人の顔写真にてお金の受取人の本人確認を実施させることにより問題を解決する。
【００１０】
又、仮口座を開設したお金の受取人が現金自動取引装置（ＡＴＭ）にて振り込まれたお金を引き出すときの本人確認の方法として、お金の受取人がＡＴＭにて仮口座を開設する時にＡＴＭは仮口座に対応する仮カードを発行し、お金の受取人がＡＴＭにてお金を引き出す場合は、上記キャッシュカードの挿入と、暗証番号（仮口座開設時にお金の受取人自身が決めた任意の番号）の入力とによってお金の受取人の本人確認を実施する。
【発明の効果】
【００１１】
金融機関に口座を持っていないお金の受取人が、出張中／旅行中の場合のように金融機関に口座開設が困難な場合においても、ＡＴＭによる振込を依頼することができるようになり、送金を受けることができるようになる。
【００１２】
現金自動取引装置（ＡＴＭ）を利用することで、銀行の営業時間外や休日等窓口が開いていない場合でも口座開設が可能となる。
【００１３】
お金の受取人は正規の口座情報を振込人に公開することなく振込をしてもらうことが可能となる。
【図面の簡単な説明】
【００１４】
【図１】現金自動取引装置の概要。
【図２】ＡＴＭの顧客操作部表示画面。
【図３】ＡＴＭの顧客操作部表示画面。
【図４】カード表面図。
【図５】ＡＴＭの顧客操作部表示画面。
【図６】ＡＴＭの顧客操作部表示画面。
【図７】ＡＴＭの顧客操作部表示画面。
【図８】ＡＴＭの顧客操作部表示画面。
【発明を実施するための形態】
【００１５】
本発明による現金自動取引装置は利用者を撮影することの可能なカメラと、紙幣入出金機構と、カード読み取り機構と、カード発行機構と、利用者が操作するタッチパネルを搭載した現金自動取引装置（ＡＴＭ）であり、ホストコンピュータ（上位装置とも言う）に接続されている。
【００１６】
図１は本発明にて使用する現金自動取引装置（ＡＴＭ）を示し、現金自動取引装置（ＡＴＭ）101は利用者103の顔を撮影するカメラ102と、カード読取／発行機構104と、紙幣入出金機構105と、利用者が操作するタッチパネルを有している。
【００１７】
以下、取引手順に従い図を参照して実施例を説明する。
【００１８】
画面１の取引選択画面（初期画面）106は現金自動取引装置（ＡＴＭ）の利用者が任意のキーを選択押下することにより希望の取引を実施できる画面であり、お金の受取人が本画面にて「仮口座開設」キーを選択押下することにより、現金自動取引装置（ＡＴＭ）は仮口座開設時の必要項目を入力するための画面である画面２の仮口座開設画面107を表示する。
【００１９】
お金の受取人が画面２の仮口座開設107にて、「要求金額」「出金予定日」「暗証番号」を入力すると、ＡＴＭはカメラ102にて利用者の顔を撮影後、「仮口座番号」「要求金額」「出金予定日」を表面に印刷したカード109をカード発行機構104にて発行するとともに、ホストコンピュータに対し仮口座の開設を指示する。
【００２０】
お金の受取人は振込人へ電話等にて、発行されたカード109に印刷された「仮口座番号」「要求金額」「出金予定日」を連絡し、振込依頼をする。
【００２１】
振込人がお金の受取人よりの依頼に従い任意の現金自動取引装置（ＡＴＭ）の画面４の取引選択画面（初期画面）110にて「仮口座への振込」を押下すると、現金自動取引装置（ＡＴＭ）は画面５のカード挿入、暗証番号入力画面111を表示する。
【００２２】
振込人が振込人所有のキャッシュカードを挿入し、暗証番号を入力すると、現金自動取引装置（ＡＴＭ）は画面６の仮口座番号入力画面112を表示し、振込人に対し仮口座番号の入力を促す。
【００２３】
振込人がお金の受取人より連絡を受けた仮口座番号を入力すると、現金自動取引装置（ＡＴＭ）は画面７の振込要求指定内容確認画面113を表示し、振込人に対しお金の受取人の顔写真114によるお金の受取人の本人確認と、振込依頼内容の確認を促す。
【００２４】
振込人がお金の受取人の本人確認と振込依頼内容の確認を実施後、「振込み」キーを押下すると、現金自動取引装置（ＡＴＭ）はホストコンピュータに対し振込人の挿入したキャッシュカードの口座から仮口座への要求金額の振込みを指示する。
【００２５】
お金の受取人が出金予定日に、現金自動取引装置（ＡＴＭ）の画面７の取引選択画面（初期画面）115にて「仮口座よりの出金」キーを押下すると、現金自動取引装置（ＡＴＭ）は画面９のカード挿入、暗証番号入力画面II116を表示し、カードの挿入と暗証番号の入力を促す。
【００２６】
お金の受取人が仮口座開設時に発行したカードを現金自動取引装置（ＡＴＭ）に挿入し、暗証番号を入力すると、現金自動取引装置（ＡＴＭ）は要求金額を出金する。
【００２７】
要求金額をお金の受取人が受取った後、現金自動取引装置（ＡＴＭ）はホストコンピュータに対し仮口座の抹消を指示する。
【符号の説明】
【００２８】
101…現金自動取引装置（ＡＴＭ）、102…カメラ、103…現金自動取引装置（ＡＴＭ）の利用者、104…カード読取／発行機構、105…紙幣入出金機構、105-1…利用者が操作するタッチパネル、106…取引選択画面、107…仮口座開設画面、108…カード発行画面、109…カードの表面の図、110…取引選択画面、111…カード挿入、暗証番号入力画面、112…仮口座番号入力画面、113…振込み要求指定内容確認画面、114…お金の受取人の画像、115…取引選択画面、116…カード挿入、暗証番号入力画面II、117…現金お受取画面。
【図１】
2010267172.tif 000003
【図２】
2010267172.tif 000004
【図３】
2010267172.tif 000005
【図４】
2010267172.tif 000006
【図５】
2010267172.tif 000007
【図６】
2010267172.tif 000008
【図７】
2010267172.tif 000009
【図８】
2010267172.tif 000010